(57)【特許請求の範囲】
【請求項１】
容器の内周面を不定形耐火物でライニングする施工装置であって、
回転軸に交換可能に装着される複数の回転体からなり、前記内周面の曲率に対応するエンタシス形状を有する複数のベルトローラと、
前記複数のベルトローラに張架される無端ベルトと、
前記複数のベルトローラが前記内周面に対向して上下方向に配列されるように、前記複数のベルトローラを支持する支持手段と、
前記支持手段を前記内周面に沿って少なくとも上下方向に移動させる移動手段と、
前記複数のベルトローラのうちの少なくとも１つの前記回転軸を回転させるベルトローラ駆動手段と、
を備え、
前記ベルトローラ駆動手段によって前記回転軸が回転されるベルトローラを構成する前記複数の回転体は、前記回転軸とともに回転する第１の回転体と、前記回転軸に対して回転自在に設けられる第２の回転体とを含むことを特徴とする施工装置。
【請求項２】
前記複数の回転体のうち、軸方向端部側の回転体の幅は、軸方向中央部の回転体の幅よりも狭いことを特徴とする、請求項１に記載の施工装置。
【請求項３】
前記内周面に施工されたライニングから前記無端ベルトが離れる位置で、前記無端ベルトに付着したライニング材を除去し、前記施工されたライニングに対向する面を有するスクレーパをさらに備えることを特徴とする、請求項１または２に記載の施工装置。
【請求項４】
前記移動手段は、
前記容器の底部に設けられた基台上に回転可能に立設される支柱と、
前記支柱に対して昇降可能に設けられる昇降機構と、
前記昇降機構と前記支持手段とを連結する昇降架台と、
を含み、
前記支持手段は、前記複数のベルトローラを前記内周面に対して接近または離隔させる押付機構を含み、
前記無端ベルトの側端部と前記内周面との間に配置される側型枠部材をさらに備えることを特徴とする、請求項１〜３のいずれか１項に記載の施工装置。
【請求項５】
前記側型枠部材に材料付着防止装置が設けられることを特徴とする、請求項４に記載の施工装置。
【請求項６】
前記材料付着防止装置が、スリットエア装置または振動装置のいずれかまたは両方であることを特徴とする、請求項５に記載の施工装置。
【請求項７】
請求項１〜６のいずれか１項に記載の施工装置を用いた施工方法であって、
（ａ）前記内周面の曲率に応じて選定された前記複数の回転体を用いて、前記複数のベルトローラを組み立てる工程と、
（ｂ）前記無端ベルトの前記内周面に対向する面である型枠面が、前記容器の最下部において前記内周面に所定の間隔で対向するように、前記複数のベルトローラおよび前記無端ベルトを配置する工程と、
（ｃ）前記型枠面と前記内周面との隙間にライニング材を流し込む工程と、
（ｄ）前記（ｃ）工程において流し込まれたライニング材の硬化後に、前記ベルトローラ駆動手段によって前記複数のベルトローラのうちの少なくとも１つの前記回転軸を回転させることで前記無端ベルトを周動させつつ、前記移動手段によって前記支持手段を前記内周面に沿って上昇させながら、前記型枠面と前記内周面との隙間にライニング材を流し込む工程と、
を含むことを特徴とする施工方法。
【請求項８】
（ｅ）前記（ｄ）工程において流し込まれたライニング材の硬化後に、前記移動手段によって前記支持手段を前記内周面の周方向に移動させる工程をさらに含み、
前記（ｂ）工程、前記（ｃ）工程、前記（ｄ）工程および前記（ｅ）工程を繰り返すことによって、前記内周面を全周にわたって前記不定形耐火物でライニングすることを特徴とする、請求項７に記載の施工方法。
【請求項９】
前記（ｃ）工程および前記（ｄ）工程において、急結剤を混合しながらライニング材を流し込むことを特徴とする、請求項７または８に記載の施工方法。
【発明の詳細な説明】
【技術分野】
【０００１】
本発明は、不定形耐火物の施工装置および施工方法に関し、特に、容器の内周面をライニングするための不定形耐火物の施工装置および施工方法に関する。
【背景技術】
【０００２】
耐火物は、溶融金属をはじめとする高温物質の処理および保持には欠かせない部材である。例えば、溶銑や溶鋼の運搬や精錬に用いられる取鍋、鋼の連続鋳造工程で使用されるタンディッシュのような、溶融金属処理用の容器では、鉄皮の内面に耐火物がライニングされている。このような溶融金属処理用の容器のライニング用耐火物としては、れんがが用いられるか、または、キャスタブルおよびモルタルなどの粉体または練り土状の耐火物である不定形耐火物が用いられる。
【０００３】
ここで、溶融金属処理用の容器を、れんがによってライニングする場合、れんが同士の間に隙間が生じるため、この隙間をモルタルなどによって埋める。しかし、容器の内容物である高温の溶融金属の出入りによって加えられる熱衝撃のために、使用中にモルタルが劣化および欠損して、目地切れと呼ばれる現象が発生する。この目地切れは、溶融金属の漏出につながるおそれがある。また、れんがを用いたライニングの施工は、手作業であるため施工に時間がかかる。
【０００４】
一方、溶融金属処理用の容器を、不定形耐火物によってライニングする場合、れんがの場合のような目地切れの問題は発生しない。この場合、熱衝撃に対する耐久性および耐溶損性を得るために、吹き付けなどの他の施工方法よりも、流し込みによって施工することが望ましい。さらに、ライニングされた耐火物は、熱膨張による迫り出しや破壊を防ぐために、目地のない一体構造、または容器の内面に対して垂直な境界を有するブロックの組み合わせ構造とすることが望ましい。
【０００５】
このような条件を満たす不定形耐火物の施工方法が、種々提案されている。例えば、特許文献１には、容器の深さと略同一の高さを有する筒状の型枠（以下、「中子」ともいう。）を用いて、容器内面のライニングを一括して施工する技術が記載されている。また、特許文献２には、容器の深さよりも小さい高さを有する筒状の型枠を用いて、容器の内周面のライニングを容器の下部から上部に向かって段階的に行う技術が記載されている。また、特許文献３には、無端ベルトを用いた移動型枠装置によって、容器の内周面のライニングを周方向に分割して、分割された部分ごとに、容器の下部から上部に向かってライニングを行う技術が記載されている。
【先行技術文献】
【特許文献】
【０００６】
【特許文献１】特開平８−１５９６６７号公報
【特許文献２】特開２００８−１６４２５５号公報
【特許文献３】特開２００５−３０８２８５号公報
【発明の概要】
【発明が解決しようとする課題】
【０００７】
ところが、不定形耐火物がライニングされる容器内面の設計上の形状と実際の形状との間には、ずれが生じている場合がある。例えば、設計上の横断面形状が円形である取鍋では、高温の溶銑や溶鋼の運搬や加工に使用される結果、実際の横断面形状が、変形して卵形になったり、部分的な凹みが見られる場合がある。特許文献１および２に記載の技術では、容器の内周面の全周にわたって固定された型枠が用いられるため、このような容器形状の歪みに対応することが難しく、容器の部分によってライニングの厚さにばらつきが生じる。特に、ライニングの設計上の厚さが薄い場合（１００ｍｍ以下程度）には、上記の誤差によって容器の耐久性および耐溶損性に影響が出るおそれがある。そのため、薄いライニングには、上述の問題点に関わらず、れんがが用いられることも多かった。
【０００８】
一方、特許文献３に記載の技術では、容器の内周面を周方向に分割し、分割されたそれぞれの部分に対して上下方向に移動可能な移動型枠装置が用いられるため、容器の部分的な形状の変化にはある程度対応することが可能であると考えられる。しかし、この移動型枠装置は、容器の内周面の曲率に対応した形状のフレームを有する構造であるため、内周面の曲率が異なる別の容器をライニングする場合、フレームを含め多くの部材を交換する必要があり、対応が困難である。なお、特許文献１および２に記載の技術でも、内周面の曲率に対応した形状の型枠部材が多く用いられるため、同様に内周面の曲率の変更への対応は困難である。さらに、特許文献３に記載の技術において用いられる移動型枠装置では、容器の内周面に対向する正面側では円弧状に、その背面側では直線状にそれぞれ配置されたローラに、複数の無端ベルトが、互いの端部を重複させて張架される。このとき、正面側と背面側とで無端ベルト相互の重複幅が変化するため、無端ベルトが幅方向で相互に摺動し、ライニング材を噛み込んでしまうおそれがある。無端ベルト同士の間にライニング材が噛み込まれてしまうと、無端ベルトの動きを制御することが困難になる。
【０００９】
そこで、本発明は、上記問題に鑑みてなされたものであり、本発明の目的とするところは、容器の内周面に所望の厚さのライニングを安定して施工し、内周面の曲率が異なる容器にも容易に対応することが可能な、新規かつ改良された不定形耐火物の施工装置および施工方法を提供することにある。
【課題を解決するための手段】
【００１０】
上記課題を解決するために、本発明のある観点によれば、容器の内周面を不定形耐火物でライニングする施工装置であって、回転軸に交換可能に装着される複数の回転体からなり、内周面の曲率に対応するエンタシス形状を有する複数のベルトローラと、複数のベルトローラに張架される無端ベルトと、内周面に対向して上下方向に配列されるように、複数のベルトローラを支持する支持手段と、支持手段を内周面に沿って少なくとも上下方向に移動させる移動手段と、複数のベルトローラのうちの少なくとも１つの回転軸を回転させるベルトローラ駆動手段とを備え、ベルトローラ駆動手段によって回転軸が回転されるベルトローラを構成する複数の回転体は、回転軸とともに回転する第１の回転体と、回転軸に対して回転自在に設けられる第２の回転体とを含むことを特徴とする施工装置が提供される。
【００１１】
複数の回転体のうち、軸方向端部側の回転体の幅は、軸方向中央部の回転体の幅よりも狭くてもよい。
【００１２】
施工装置は、内周面に施工されたライニングから無端ベルトが離れる位置で、無端ベルトに付着したライニング材を除去し、施工されたライニングに対向する面を有するスクレーパをさらに備えてもよい。
【００１３】
移動手段は、容器の底部に設けられた基台上に回転可能に立設される支柱と、支柱に対して昇降可能に設けられる昇降機構と、昇降機構と支持手段とを連結する昇降架台とを含み、支持手段は、複数のベルトローラを内周面に対して接近または離隔させる押付機構を含み、施工装置は、無端ベルトの側端部と内周面との間に配置される側型枠部材をさらに備えてもよい。
【００１４】
側型枠部材に材料付着防止装置が設けられてもよい。
【００１５】
材料付着防止装置が、スリットエア装置または振動装置のいずれかまたは両方であってもよい。
【００１６】
また、上記課題を解決するために、本発明の別の観点によれば、上記施工装置を用いた施工方法であって、（ａ）内周面の曲率に応じて選定された複数の回転体を用いて、複数のベルトローラを組み立てる工程と、（ｂ）無端ベルトの上記容器の内周面に対向する面である型枠面が、容器の最下部において内周面に所定の間隔で対向するように、複数のベルトローラおよび無端ベルトを配置する工程と、（ｃ）型枠面と内周面との隙間にライニング材を流し込む工程と、（ｄ）（ｃ）工程において流し込まれたライニング材の硬化後に、ベルトローラ駆動手段によって複数のベルトローラのうちの少なくとも１つの回転軸を回転させることで無端ベルトを周動させつつ、移動手段によって支持手段を内周面に沿って上昇させながら、型枠面と内周面との隙間にライニング材を流し込む工程とを含むことを特徴とする施工方法が提供される。
【００１７】
施工方法は、（ｅ）（ｄ）工程において流し込まれたライニング材の硬化後に、移動手段によって支持手段を内周面の周方向に移動させる工程をさらに含み、（ｂ）工程、（ｃ）工程、（ｄ）工程および（ｅ）工程を繰り返すことによって、内周面を全周にわたって不定形耐火物でライニングしてもよい。
【００１８】
（ｃ）工程および（ｄ）工程において、急結剤を混合しながらライニング材を流し込んでもよい。
【００１９】
上記構成によれば、無端ベルトによって形成される型枠が容器の内周面に沿って移動するため、容器の部分的な形状の変化に対応した位置に型枠を配置することができる。また、ベルトローラがエンタシス形状であるため、内周面に対向する正面側とその背面側とで対称の形状に無端ベルトが張架され、無端ベルトを安定して回転させることができる。さらに、ベルトローラを構成する回転体を交換することによって、ベルトローラの曲率を容易に変更することができ、任意の曲率の容器に柔軟に対応できる。従って、上記構成によれば、容器の内周面に所望の厚さのライニングを安定して施工し、内周面の曲率が異なる容器にも容易に対応することができる。
【発明の効果】
【００２０】
以上説明したように本発明によれば、容器の内周面に所望の厚さのライニングを安定して施工し、内周面の曲率が異なる容器にも容易に対応することができる。従って、容器のサイズ、およびライニングの厚さが様々である場合において、耐久性および耐溶損性に優れた不定形耐火物のライニングを容易に施工することができる。
【図面の簡単な説明】
【００２１】
【図１】本発明の第１の実施形態に係る施工装置を示す平面図である。
【図２】同実施形態に係る施工装置を示す側面図である。
【図３】同実施形態に係る施工装置が上昇した状態を示す側面図である。
【図４】同実施形態に係るベルトローラの例を示す平面図である。
【図５】図４に示すベルトローラのＩ−Ｉ線断面図である。
【図６】同実施形態に係るベルトローラの別の例を示す平面図である。
【図７】同実施形態に係る施工装置を用いた不定形耐火物の施工方法を示すフローチャートである。
【図８】本発明の第２の実施形態に係る施工装置を示す側面図である。
【図９】本発明の第３の実施形態に係る施工装置を示す側面図である。
【発明を実施するための形態】
【００２２】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２３】
＜１−１．施工装置の構成＞
まず、図１〜図３を参照して、本発明の第１の実施形態に係る施工装置の構成について説明する。図１は、本実施形態に係る施工装置１ａを示す平面図である。図２は、本実施形態に係る施工装置１ａを示す側面図である。図３は、図２に示す施工装置１ａが上昇した状態を示す側面図である。
【００２４】
施工装置１ａは、溶鋼鍋２（容器）の内周面２ｓにライニング３を施工する。ライニング３を構成するライニング材は、ライニング材供給手段４によって供給される。施工装置１ａは、ベルトローラ１０、無端ベルト２０、支持手段３０、移動手段４０ａ、回転モータ５０（ベルトローラ駆動手段）、側型枠部材６０、およびスクレーパ７０を含む。以下に各部の構成について詳述する。なお、説明の便宜上、図２および図３の側面図においては、手前側にある側型枠部材６０が省略されている。
【００２５】
溶鋼鍋２は、略円形の横断面形状を有し、上部に行くほど拡径する鉄皮構造を有する容器である。溶鋼鍋２には、１層または複数層のライニングが施工される。１層目のライニングの場合、溶鋼鍋２を構成する鉄皮の内側表面である内周面２ｓにライニング３が施工される。２層目以降のライニングの場合、既に施工されたライニングの表面にライニング３が施工される。
【００２６】
ライニング３は、耐火物原料（不定形耐火物）に、耐火物原料を硬化させるためのバインダー、分散剤、および急結剤または硬化遅延剤などの薬品を混合したライニング材によって構成される。ライニング材は、流動性を有する状態で、ライニング材供給手段４によって供給され、その後、時間の経過によって硬化する。耐火物原料としては、例えば、アルミナ質、シリカ質、アルミナ−シリカ質、アルミナ−スピネル質、アルミナ−マグネシア質、アルミナ−カーボン質、アルミナ−ＳｉＣ質、アルミナ−ＳｉＣ−カーボン質、マグネシア質、マグネシア−カーボン質、カーボン質、炭化ケイ素質、窒化ケイ素質、ジルコニア質、カルシア質、ドロマイト質、クロム、クロム−マグネシア質、マグネシア−ライム質、もしくはマグネシア−アルミナ質、またはこれらの組み合わせが用いられる。バインダーとしては、例えば、アルミナセメント、リン酸塩、ケイ酸ソーダ、粘土、樹脂、またはピッチが用いられる。分散剤は、ライニング材の水分を低減させる薬品であり、例えば、リン酸塩系（ピロリン酸ソーダ、トリポリリン酸ソーダ、ヘキサメタリン酸ソーダ、酸性ピロリン酸ソーダ、ウルトラポリリン酸ソーダ）、カルボン酸系（クエン酸ソーダ、グルコン酸ソーダ）、アクリル酸系（ポリアクリル酸ソーダ、ポリアクリル酸、ポリアクリル酸エステル）、もしくはその他（ポリアルコール系、リグニンスルホン酸系）またはこれらの組み合わせが用いられる。急結剤および硬化遅延剤は、ライニング材の硬化のタイミングを調整するための薬品であり、急結剤としては、例えば、Ｎａ、Ｋ、もしくはＣａの水酸化物、ＮａもしくはＫのケイ酸塩、希硫酸、０．５〜１．０質量％程度の硫酸塩、硝酸塩、Ｌｉ塩、トリエタノールアミンなどの有機塩基、ポルトランドセメント、またはアルミナセメント水和物などが用いられる。硬化遅延剤としては、例えば、ＭｇもしくはＢａの水和物、Ｎａ、Ｋ、Ｂａ、ＭｇもしくはＣａの塩化物、０．２５質量％以下の硫酸塩、硝酸塩、クエン酸、酒石酸、グルコース酸の塩、ホウ砂、鉛の塩、リン酸塩、糖類、小麦粉、グリセリン、グルコース、またはセルロースなどが用いられる。これらの薬品は、事前にバインダー中または耐火物原料中に混合されてもよく、ライニング材の混練時に添加されてもよく、また混練されたライニング材に流し込み直前に添加されてもよい。
【００２７】
ベルトローラ１０は、内周面２ｓの曲率に対応するエンタシス形状を有するローラである。ここで、エンタシス形状とは、軸方向中央部が端部側よりも膨らんだ柱形状である。このようなエンタシス形状を有するベルトローラ１０の断面は、両端の直線に、外側に向かって膨らんだ２つの円弧を組み合わせたような形状である。この２つの円弧に共通する曲率を、エンタシス形状が有する曲率とする。この曲率は、施工装置１ａによってライニングが施工される溶鋼鍋２の内周面２ｓの曲率に対応する曲率である。内周面２ｓの曲率に対応する曲率とは、内周面２ｓの曲率半径から施工厚みを引き算した曲率半径からなる曲率を指す。ベルトローラ１０には、無端ベルト２０が張架される。また、ベルトローラ１０は、支持手段３０によって支持される。また、ベルトローラ１０は、少なくとも２つ、内周面２ｓに沿って上下方向に配列され、最も下に位置するベルトローラ１０の回転軸には回転モータ５０が接続される。なお、施工装置１ａは、３つのベルトローラ１０を備えるが、施工装置１には、２つ、または４つ以上のベルトローラが備えられてもよい。このベルトローラ１０の詳細な構成については後述する。
【００２８】
無端ベルト２０は、伸縮性を有するゴム素材からなる無端状のベルトである。無端ベルト２０は、内周面２ｓに沿って上下方向に配列されたベルトローラ１０に張架され、内周面２ｓから所定の寸法だけ離間した型枠面２０ｓを形成する。この型枠面２０ｓと、内周面２ｓとの間に、ライニング材供給手段４によってライニング材が流し込まれる。無端ベルト２０は、単一であってもよいし、複数であってもよい。無端ベルト２０が複数である場合、それぞれの無端ベルト２０は、互いの端部を重複させてベルトローラ１０に張架されるが、ベルトローラ１０がエンタシス形状であるため、内周面２ｓに対向する正面側とその背面側とで無端ベルト２０の重複幅は変化しない。従って、無端ベルト２０が複数である場合にも、無端ベルト２０が幅方向で相互に摺動し、ライニング材が噛み込まれるおそれは少ない。
【００２９】
支持手段３０は、ベルトローラ１０を含む部材を支持し、これらの部材を移動手段４０ａに連結する。支持手段３０は、型枠支持部材３１、押付機構３２、および押付機構支持部材３３を含む。型枠支持部材３１は、押付機構３２によって支持され、ベルトローラ１０、回転モータ５０、側型枠部材６０、およびスクレーパ７０を支持する。型枠支持部材３１は、さらに、ライニング材供給手段４によって流し込まれたライニング材の飛沫が、押付機構３２および移動手段４０の方向に飛散するのを抑える。押付機構３２は、押付機構支持部材３３に、油圧シリンダなどを介して進退自在に設けられ、型枠支持部材３１を支持する。この押付機構３２によって、支持手段３０、ベルトローラ１０、無端ベルト２０、回転モータ５０、側型枠部材６０、およびスクレーパ７０（以下、「型枠体」と総称する場合がある。）は、内周面２ｓに対して接近または離隔される。押付機構３２と型枠支持部材３１との間は、球面座によって接続されるため、押付機構３２と型枠支持部材３１との角度が自由に可変される。かかる構造によって、型枠支持部材３１の四隅にそれぞれ接続された４つの押付機構３２のそれぞれによる押付量を調整し、型枠支持部材３１が内周面２ｓに向かう角度を調整することが可能である。従って、図３に示されるように、型枠体が溶鋼鍋２の下部から上部へ上昇するときに、内周面２ｓのテーパーに対応して型枠面２０ｓを配置し、型枠面２０ｓと内周面２ｓとの間隔を維持することができる。また、溶鋼鍋２の形状に歪みが生じているような場合にも、歪みに対応して型枠面２０ｓを内周面２ｓに接近または離隔させ、ライニングの厚さにおける誤差を小さくすることができる。押付機構支持部材３３は、移動手段４０ａの昇降架台４４ａによって支持され、押付機構３２を進退自在に支持する。
【００３０】
移動手段４０ａは、内周面２ｓに沿って、ライニング３の施工位置に型枠体を移動させる。この移動手段４０ａは、基台４１ａ、支柱４２ａ、昇降機構４３ａ、および昇降架台４４ａを含む。基台４１ａは、溶鋼鍋２の底部に設置される円形板状体であり、施工装置１ａ全体の荷重を支持する。支柱４２ａは、基台４１ａの円形板状体の中心に回転可能に立設される柱状体であり、昇降機構４３ａを支持する。昇降機構４３ａは、支柱４２ａに対して昇降可能に設けられ、昇降架台４４ａを支持する筒状の機構である。昇降架台４４ａは、昇降機構４３ａと支持手段３０とを連結する。かかる移動手段４０ａにおいては、昇降機構４３ａを支柱４２ａに対して昇降させることによって、昇降機構４３ａによって支持される昇降架台４４ａが昇降し、昇降架台４４ａに連結された支持手段３０が内周面２ｓに沿って上下方向に移動する。また、支柱４２ａを基台４１ａに対して回転させることによって、支柱４２ａによって支持される昇降機構４３ａ、昇降架台４４ａが回転し、昇降架台４４ａに連結された支持手段３０が内周面２ｓに沿って周方向に移動する。
【００３１】
回転モータ５０は、ベルトローラ１０を回転させるための駆動手段である。この回転モータ５０は、型枠支持部材３１に設置され、内周面２ｓに沿って上下方向に配列されたベルトローラ１０のうち、最も下に位置するベルトローラ１０の回転軸に動力を伝え、該回転軸を回転させるように接続される。
【００３２】
側型枠部材６０は、型枠支持部材３１に着脱可能に設けられ、型枠面２０ｓの側端において、無端ベルト２０と内周面２ｓとに接する。側型枠部材６０が無端ベルト２０および内周面２ｓと接する部分は、それぞれ円筒状のゴムによってシールされている。また、側型枠部材６０には、ライニング材の付着を防止する材料付着防止機構が設けられる。材料付着防止機構は、スリットエア装置または振動装置のいずれかまたは両方である。スリットエア装置は、側型枠部材６０の内側の面に対して、上方からスリットエアを吹き付ける装置であり、振動装置は、側型枠部材６０の内側に配置された振動板を振動させる装置である。
【００３３】
スクレーパ７０は、型枠支持部材３１に設置され、無端ベルト２０の下端、すなわち、無端ベルト２０が施工されたライニング３から離れる部分で、無端ベルト２０に付着したライニング材を除去する。スクレーパ７０の、施工されたライニング３に対向する面の角度は、自由に設定されうるが、特に、この面がライニング３に対して平行である場合には、無端ベルト２０の形状によらず、ライニング３の下端においても高さ方向に直線壁を形成することが可能であり、ライニング３の厚み精度を向上できる。この場合、スクレーパ７０が上昇中にライニング３と接触しないようにする目的から、スクレーパ７０の面の位置は、無端ベルト２０によって形成される型枠面の延長線の位置から２ｍｍ程度後退した位置とすることが好ましい。
【００３４】
＜１−２．ベルトローラの構成＞
次に、図４〜図６を参照して、本発明の第１の実施形態に係るベルトローラの構成について説明する。
【００３５】
図４は、本実施形態に係るベルトローラ１０の例として、ベルトローラ１０ａを示す平面図である。図５は、ベルトローラ１０ａのＩ−Ｉ線断面図である。図４および図５に示すように、ベルトローラ１０ａは、回転軸１１、駆動回転体１２（第１の回転体）、自由回転体１３（第２の回転体）、座金１４、受け金物１５、および固定金物１６を含む。以下に各部の構成について詳述する。
【００３６】
ベルトローラ１０を構成する駆動回転体１２および自由回転体１３（以下、「回転体」と総称する場合がある。）は、全体として図示されるようなエンタシス形状を有する。そのため、各回転体の間では径が異なり、軸方向端部側に配置される回転体ほど、軸方向中央部に位置される回転体よりも径が小さくなる。また、各回転体の中でも径が変化し、軸方向中央部から軸方向端部側に向かって径が小さくなる。各回転体がこのような形状を有することによって、連続的に径が変化するエンタシス形状のベルトローラ１０が構成される。
【００３７】
回転軸１１は、駆動回転体１２、自由回転体１３、座金１４、受け金物１５、および固定金物１６を貫通する。回転軸１１には、図示しないピン穴が設けられ、受け金物１５および固定金物１６は、このピン穴にピンを通すことによって回転軸１１に固定される。
【００３８】
駆動回転体１２は、固定金物１６を介して回転軸１１に固定される。駆動回転体１２の側面には、固定金物１６の形状に対応した形状の凹部が設けられ、固定金物１６が、この凹部に嵌合される。かかる構造によって、駆動回転体１２は、回転軸１１とともに回転する。回転軸１１から駆動回転体１２に伝達された駆動力は、摩擦力によって、ベルトローラ１０に張架される無端ベルト２０に伝えられる。駆動回転体１２の表面には、この駆動力の伝達を促進し、無端ベルト２０の位置ずれを防ぐために、回転方向に凹状の溝が設けられる。
【００３９】
自由回転体１３は、回転軸１１に対して回転自在に設けられる。自由回転体１３は、回転軸１１とは独立して、ベルトローラ１０に張架される無端ベルト２０から伝えられる摩擦力によって回転する。ここで、駆動回転体１２および自由回転体１３のそれぞれの間には、回転軸１１に対して回転自在な座金１４が介される。この座金１４によって回転の縁切りがされるため、自由回転体１３は、隣接する駆動回転体１２または他の自由回転体１３の回転とも独立して回転する。従って、複数の自由回転体１３は、互いに異なる回転速度で回転することが可能である。ベルトローラ１０において、回転体の径は軸方向中央部と軸方向端部付近とで異なるため、各回転体の周長は互いに異なり、それゆえ各回転体の周速度も互いに異なる。そのため、上記のように自由回転体１３が自由に回転する構造によって、異なる周速度の自由回転体１３が互いに影響しあうことがなくなり、結果としてベルトローラ１０に張架される無端ベルト２０の周動が安定する。
【００４０】
ここで、ベルトローラ１０ａは、軸方向中央部に配置される駆動回転体１２ａと、駆動回転体１２ａの両側に対称的に配置される自由回転体１３ａ〜１３ｅとを有する。軸方向端部側では、軸方向中央部に比べて、軸方向長さあたりの回転体の径の変化が大きくなるため、駆動回転体１２ａ、および自由回転体１３ａ〜１３ｅでは、軸方向端部側に配置される回転体ほど、軸方向中央部に配置される回転体よりも幅が狭くなっている。
【００４１】
図６は、本実施形態に係るベルトローラ１０の別の例として、ベルトローラ１０ｂを示す平面図である。ベルトローラ１０ｂは、軸方向中央部と軸方向端部の間付近に対称的に配置される２つの駆動回転体１２ｂと、駆動回転体１２ｂの前後に対称的に配置される自由回転体１３ｆ，１３ｇとを有する。駆動回転体１２ｂ、および自由回転体１３ｆ，１３ｇは、互いに略同一の幅である。
【００４２】
以上で説明されたベルトローラ１０の例のうち、例えば、無端ベルト２０が１本である場合には、駆動回転体１２が１つだけ配置されたベルトローラ１０ａを用いることが好ましい。また、無端ベルト２０が２本である場合には、駆動回転体１２が２つ配置されたベルトローラ１０ｂを用いることが好ましい。しかし、この例に限られず、無端ベルト２０が１本である場合にベルトローラ１０ｂが用いられてもよいし、無端ベルト２０が２本である場合にベルトローラ１０ａが用いられてもよい。駆動回転体１２の数は、３つ以上であってもよい。また、各回転体の幅は、駆動回転体１２の数には関係なく、自由に設定されてもよい。
【００４３】
施工装置１に複数設けられるベルトローラ１０は、そのすべてが同じ構造を有していてもよいし、またそれぞれ異なる構造を有してもよい。例えば、施工装置１ａに設けられる３つのベルトローラ１０のうち、上下の２つがベルトローラ１０ａであり、中央の１本がベルトローラ１０ｂであってもよい。また、回転モータ５０によって回転軸１１が回転されるベルトローラ１０以外のベルトローラ１０は、必ずしも駆動回転体１２を含まなくてもよく、例えば自由回転体１３だけで構成されていてもよい。
【００４４】
＜１−３．不定形耐火物の施工方法＞
次に、図７を参照して、本発明の第１の実施形態に係る施工装置１を用いた不定形耐火物の施工方法について説明する。図７は、本実施形態に係る施工装置１を用いた不定形耐火物の施工方法を示すフローチャートである。
【００４５】
まず、回転軸１１に、駆動回転体１２および自由回転体１３を装着して、ベルトローラ１０を組み立てる（ステップＳ１０１）。ここで用いられる回転体は、内周面２ｓの曲率に応じて選定されたものである。ここで選定される回転体を変更することによって、異なる曲率を有する内周面に対応するベルトローラ１０を用意することが可能である。
【００４６】
次に、組み立てられた複数のベルトローラ１０を含む施工装置１ａが、溶鋼鍋２に設置される。このとき、支柱４２ａは、溶鋼鍋２の中心軸と重なるように設置され、押付機構３２は、型枠体を内周面２ｓから離隔させている。さらに、必要であれば昇降機構４３ａを駆動して、型枠体を溶鋼鍋２の最下部に配置する（ステップＳ１０３）。
【００４７】
次に、無端ベルト２０の型枠面２０ｓが内周面２ｓに所定の間隔で対向するように、型枠体が内周面２ｓに接近する（ステップＳ１０５）。このとき、押付機構３２は、側型枠部材６０が内周面２ｓに接触する程度まで型枠体を内周面２ｓに接近させる。
【００４８】
次に、型枠面２０ｓと、内周面２ｓとの隙間に、ライニング材供給手段４によってライニング材が流し込まれる（ステップＳ１０７）。このとき、型枠面２０ｓおよび内周面２ｓを正面および背面、側型枠部材６０を両側面、溶鋼鍋２の底部を底面として、ライニング材が流し込まれるライニング空間が形成されている。なお、本実施形態において流し込まれるライニング材の温度は、０℃〜５０℃の範囲で施工が可能であり、好ましくは１０℃〜３０℃である。
【００４９】
続いて、ステップＳ１０７で流し込まれたライニング材の硬化後に、回転モータ５０が起動し（ステップＳ１０９）、昇降機構４３ａによって、型枠体が内周面２ｓに沿って上昇する（ステップＳ１１１）。なお、ライニング材の硬化は、事前の試験によって計測された硬化時間によって判定される。このとき、押付機構３２は、型枠支持部材３１が内周面２ｓに向かう角度を調節し、無端ベルト２０の面と内周面２ｓとの間隔を所定の間隔に保つ。
【００５０】
ここで、回転モータ５０の回転は、ベルトローラ１０の回転軸１１および駆動回転体１２を介して無端ベルト２０に伝達され、無端ベルト２０は、ベルトローラ１０に張架された状態で周動する。回転モータ５０の回転の向きは、型枠面２０ｓで無端ベルト２０が下向きに移動する向きである。回転モータ５０の回転数は、型枠面２０ｓの移動速度が型枠体の上昇速度と一致するか、またはこれよりもやや大きくなるように設定される。型枠面２０ｓの移動速度が型枠体の上昇速度と一致する場合、型枠面２０ｓとライニング３との間には摩擦が発生しないため、型枠体の上昇は、施工されたライニング３に影響しない。また、型枠面２０ｓの移動速度が型枠体の上昇速度よりもやや大きい場合、型枠面２０ｓとライニング３との間には摩擦が発生するものの、ライニング３に加わる摩擦力は、下向き、つまり既に施工されたライニング３が下方に押し付けられる向きであるため、ライニング３を剥離させるおそれは少ない。
【００５１】
上記のステップＳ１０９およびステップＳ１１１と並行して、またはこれらのステップと交互に、型枠体の上昇によって新たに生じる型枠面２０ｓと内周面２ｓとの隙間に、ライニング材供給手段４によってライニング材が流し込まれる（ステップＳ１１３）。このとき、型枠面２０ｓおよび内周面２ｓを正面および背面、側型枠部材６０を両側面、既に施工されたライニング３を底面として、ライニング空間が形成されている。ここで、ライニング材の打設面の上昇速度は、型枠体の上昇速度と一致させる。ライニング材の打設面の上昇速度は、ライニング材の硬化時間およびライニング材の流し込み量に基づいて算出される。
【００５２】
上記のステップＳ１１３によって、溶鋼鍋２の上端までライニング３を施工する。ライニング３の施工が終了した後も、引き続き無端ベルト２０を周動させながら型枠体を上昇させ、施工されたライニング３を型枠面２０ｓから離脱させる（以下、「脱枠」ともいう）。脱枠後に、無端ベルト２０の周動および型枠体の上昇が停止し、押付機構３２が型枠体を内周面２ｓから離隔させる（ステップＳ１１５）。このように、型枠体を上昇させながら脱枠することによって、脱枠時にライニング３が型枠面２０ｓに付着して剥離することを防ぎ、施工されたライニング３の形状がより安定する。しかし、脱枠の方法はこれには限られず、例えば、溶鋼鍋２の上端までライニング材が流し込まれた時点で無端ベルト２０の周動および型枠体の上昇を停止し、ライニング材の硬化後に、押付機構３２が型枠体を内周面２ｓから離隔されることによって脱枠が行われてもよい。
【００５３】
上記のステップＳ１０３〜ステップＳ１１５によるライニング３の施工を、内周面２ｓの全周にわたってライニング３が施工されるまで繰り返す（ステップＳ１１７）。内周面２ｓの全周にライニング３が施工済ではない場合、支柱４２ａが回転し、型枠体が内周面２ｓに沿って周方向に移動する（ステップＳ１１９）。続いて、ステップＳ１０３〜ステップＳ１１５が繰り返される。
【００５４】
ここで、ステップＳ１１９における移動の結果、型枠面２０ｓは、既に施工されたライニング３にやや重複する位置に配置される。このとき、型枠面２０ｓが既に施工されたライニング３に重複する側の側型枠部材６０は取り外され、取り外された側型枠部材６０に代わって、既に施工されたライニング３の側面が、ライニング材が流し込まれるライニング空間の側面になる。最後に残った部分にライニング３を施工する際には、両側の側型枠部材６０が取り外され、既に施工されたライニング３の側面が、ライニング空間の両側面になる。
【００５５】
＜２．第２の実施形態＞
続いて、図８を参照して、本発明の第２の実施形態について説明する。なお、本発明の第２の実施形態は、移動手段４０の構成が本発明の第１の実施形態と相違するが、その他の機能構成については、第１の実施形態と略同一であるため、詳細説明を省略する。
【００５６】
図８は、本発明の第２の実施形態に係る施工装置１ｂを示す側面図である。移動手段４０ｂは、基台４１ｂ、パンタグラフ４２ｂ、および旋回テーブル４３ｂを含む。以下で各部の構成について詳述する。
【００５７】
基台４１ｂは、溶鋼鍋２の底部に設置される板状体であり、施工装置１ｂ全体の荷重を支持する。パンタグラフ４２ｂは、基台４１ｂに上下方向に伸縮自在に設けられ、旋回テーブル４３ｂを支持する機構である。旋回テーブル４３ｂは、パンタグラフ４２ｂ上に旋回自在に設けられ、支持手段３０に連結される。かかる移動手段４０ｂにおいては、パンタグラフ４２ｂが基台４１ｂ上で伸縮することによって、パンタグラフ４２ｂによって支持される旋回テーブル４３ｂが昇降し、旋回テーブル４３ｂに連結された支持手段３０が内周面２ｓに沿って上下方向に移動する。また、旋回テーブル４３ｂをパンタグラフ４２ｂに対して旋回させることによって、旋回テーブル４３ｂに連結された支持手段３０が内周面２ｓに沿って周方向に移動する。
【００５８】
施工装置１ｂを用いた不定形耐火物の施工方法では、第１の実施形態で図７を参照して説明された施工方法のステップＳ１０３にあたる工程として、旋回テーブル４３ｂが溶鋼鍋２の中心部に設置され、型枠体を溶鋼鍋２の最下部に配置するためにパンタグラフ４２ｂが収縮する。また、ステップＳ１１１にあたる工程として、型枠体を内周面２ｓに沿って上昇させるためにパンタグラフ４２ｂが伸長する。さらに、ステップＳ１１９にあたる工程として、型枠体を内周面２ｓに沿って周方向に移動させるために旋回テーブル４３ｂが旋回する。
【００５９】
＜３．第３の実施形態＞
続いて、図９を参照して、本発明の第３の実施形態について説明する。なお、本発明の第３の実施形態は、支持手段３０および移動手段４０の構成が本発明の第１の実施形態と相違するが、その他の機能構成については、第１の実施形態と略同一であるため、詳細説明を省略する。
【００６０】
図９は、本発明の第３の実施形態に係る施工装置１ｃを示す側面図である。移動手段４０ｃは、接地レール４１ｃ、外周レール４２ｃ、昇降レール４３ｃ、および昇降部材４４ｃを含む。支持手段３０の押付機構３２は、押付機構支持部材３３に代えて、昇降部材４４ｃによって直接支持される。以下で各部の構成について詳述する。
【００６１】
接地レール４１ｃは、溶鋼鍋２の底部に設置される円形の部材であり、上方に向かって凹状の縦断面形状を有するレールが周設される。このレールの凹部には、昇降レール４３ｃの下端部の車輪が配置される。外周レール４２ｃは、溶鋼鍋２の上端部に周設される環状の部材であり、環状の中心に向かって凹状の縦断面形状を有するレールが設けられる。このレールの凹部には、昇降レール４３ｃの上端部の車輪が配置される。昇降レール４３ｃは、下端部および上端部の車輪を介して接地レール４１ｃおよび外周レール４２ｃによって支持され、昇降部材４４ｃを支持する。かかる構造によって、昇降レール４３ｃは、溶鋼鍋２の内周面２ｓに沿って移動可能である。さらに、昇降レール４３ｃには、内周面２ｓの傾斜に対応した傾斜がつけられている。昇降部材４４ｃは、昇降レール４３ｃに対して昇降可能に設けられ、押付機構３２を支持する部材である。かかる移動手段４０ｃにおいては、昇降部材４４ｃが昇降レール４３ｃに沿って昇降することによって、昇降部材４４ｃによって支持される支持手段３０が内周面２ｓに沿って上下方向に移動する。また、昇降レール４３ｃを、接地レール４１ｃおよび外周レール４２ｃに従って移動させることによって、昇降レール４３ｃに設けられた昇降部材４４ｃが移動し、昇降部材４４ｃによって支持される支持手段３０が内周面２ｓに沿って周方向に移動する。
【００６２】
施工装置１ｃを用いた不定形耐火物の施工方法では、第１の実施形態で図７を参照して説明された施工方法のステップＳ１０３にあたる工程として、接地レール４１ｃが溶鋼鍋２の中心部に、外周レール４２ｃが溶鋼鍋２の上端部にそれぞれ設置され、型枠体を溶鋼鍋２の最下部に配置するために、昇降レール４３ｃに沿って昇降部材４４ｃが下降する。また、ステップＳ１１１にあたる工程として、型枠体を内周面２ｓに沿って上昇させるために、昇降部材４４ｃが昇降レール４３ｃに沿って上昇する。さらに、ステップＳ１１９にあたる工程として、型枠体を内周面２ｓに沿って周方向に移動させるために、昇降レール４３ｃの下端部および上端部の車輪が、それぞれ接地レール４１ｃおよび昇降レール４２ｃの凹部において転動する。
【００６３】
以上で説明された本発明の第１〜第３の実施形態は、溶鋼鍋２の形状などに応じて使い分けられてもよい。例えば、溶鋼鍋２の横断面形状が円形に近く、移動手段４０の回転によって型枠体を内周面２ｓの全周にわたって移動させることが可能な場合には、支柱を用いた回転によって構造を単純化できる第１の実施形態の構成が選択されてもよい。また、溶鋼鍋２の横断面形状が円形からはずれており、移動手段４０が回転によって型枠体を内周面２ｓの全周にわたって移動させることが難しい場合には、移動手段４０そのものを移動させることが比較的容易な第２の実施形態、または内周面２ｓに沿ってレールを設けることが可能な第３の実施形態の構成が選択されてもよい。
【実施例】
【００６４】
次に、本発明の実施例について説明する。本実施例では、上記の図１〜図３に示された施工装置１ａを使用し、溶鋼鍋２の内周面２ｓに厚さ６０ｍｍの不定形耐火物のライニングを施工した。内周面２ｓの周長は１２．５ｍ、高さは４ｍである。ライニング材は、次の表１に示すような、耐火物原料としてアルミナマグネシアを含む原料の混合により製造されるものである。
【００６５】
【表１】
0005418465.tif 000002
【００６６】
表１に示されるライニング材の原料のうち、耐火物原料は、バインダーとともに１０質量％の水によって混練され、タップフロー値２５０ｍｍ程度の流動性を発現するものであった。耐火物原料、バインダー、および水の混練物に対して２．０質量％のケイ酸ナトリウムが、急結剤として、ライニング材供給手段４の吐き出し口の直前でエアによって混合される。
【００６７】
このように、ライニング材に急結剤を混合することによって、ライニング材の硬化に要する時間が数時間から数分に短縮される。それゆえ、ライニング材が流し込まれてから数分で型枠体の上昇を開始させ、ライニング３の施工位置を上方に移動させることが可能になる。また、従来技術である中子を用いた場合には、本実施例とは逆にライニング材の硬化に時間をかける必要があるため、ライニング材に急結剤を混合することは適切ではない。従って、ライニング材への急結剤の混合は、本実施例に適した手法であるといえる。
【００６８】
施工装置１ａのベルトローラ１０は、曲率半径１９４０ｍｍとなる円弧を含む断面を有するエンタシス形状となるように、回転軸１１に駆動回転体１２および自由回転体１３を装着して構成される。ベルトローラ１０は、上下６００ｍｍにわたって３つ配列され、そこに幅８００ｍｍの単一の無端ベルト２０が張架される。従って、型枠面２０ｓは、高さ６００ｍｍ、幅８００ｍｍのサイズになる。また、型枠面２０ｓは、内周面２ｓから６０ｍｍ離間するように配置される。
【００６９】
移動手段４０ａの昇降機構４３ａは、５０ｃｍ／ｍｉｎ以下の範囲で可変する速度で型枠体を昇降させる。また、側型枠部材６０には、材料付着防止装置として、スリットエア装置および振動装置が設置される。スリットエア装置は、０．７ＭＰａ以下の範囲で可変するエア圧力でスリットエアを吹き付ける。振動装置は、エアバイブレータを用い、４５０Ｈｚ（遠心力０〜３３ｋＮで連動）以下の範囲で可変する振動数で振動板を振動させる。
【００７０】
まず、型枠体を溶鋼鍋２の最下部に配置して、型枠面２０ｓと内周面２ｓとの間にライニング材の流し込みを開始した。ライニング材の流し込みは、１箇所のライニング材供給手段４から、吐出量６０ｋｇ／ｍｉｎで行った。このとき、スリットエア装置のエア圧力は０．４ＭＰａとし、振動装置の振動数は３５０Ｈｚとした。
【００７１】
事前のサンプルテストによって計測されたライニング材の硬化開始時間は、８０秒程度であった。そのため、ライニング材の流し込み開始から９０秒間、型枠体を溶鋼鍋２の最下部に静止させた状態を保った。その後、回転モータ５０を起動して無端ベルト２０を周動させ、昇降機構４３ａを起動して型枠体の上昇を開始した。無端ベルト２０の周動によって型枠面２０ｓが下向きに移動する速度と、型枠体が上昇する速度とは、ともに４４ｃｍ／ｍｉｎとした。
【００７２】
無端ベルト２０の周動と型枠体の上昇とが開始された後も引き続きライニング材の流し込みを継続し、ライニング材の打設面が内周面２ｓの上端に達した時点で、ライニング材の流し込みを停止した。無端ベルト２０の周動と型枠体の上昇は、ライニング材の流し込みの停止後も継続し、ライニング３が脱枠した後に停止した。型枠体を溶鋼鍋２の最下部に配置し、ライニング材の流し込みを開始してから、無端ベルト２０の周動と型枠体の上昇を停止するまで（以下、「１列分の施工」ともいう）の所要時間は約１２分であった。
【００７３】
この後、型枠体を内周面２ｓに沿って周方向に移動させ、既にライニング３を施工した部分に隣接する部分で、型枠体を溶鋼鍋２の最下部に配置した。この工程（以下、「施工位置の移動」ともいう）の所要時間は約１０分であった。
【００７４】
周長が１２．５ｍである内周面２ｓの全周にライニング３を施工するために、上記の工程と同様の工程を繰り返して、１６列分の施工を行った。これによって得られた溶鋼鍋２の内周面２ｓのライニングは、設計上の厚さである６０ｍｍに対する誤差が±５ｍｍ程度という、精度の高い厚さを有するものであった。また、上記の１６列分の施工に、施工位置の移動を合わせた施工の所要時間は、約６時間であった。
【００７５】
なお、溶鋼鍋２と同様の溶鋼鍋を、従来技術であるれんがによってライニングした場合、施工の所要時間は約１２時間である。また、同様の溶鋼鍋を、従来技術である中子を用いてライニングした場合、脱枠までの所要時間は約１０時間であるが、ライニングの厚さに、設計上の厚さに対して±３０ｍｍの誤差が生じうる。
【００７６】
以上より、本実施例では、れんがによる施工に比べると、施工の所要時間が大幅に短縮され、また、中子を用いた施工に比べると、ライニングの厚さの精度が大幅に向上することが実証されたといえる。
【００７７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７８】
１    施工装置
２    溶鋼鍋
２ｓ  内周面
３    ライニング
１０    ベルトローラ
１１    回転軸
１２    駆動回転体
１３    自由回転体
２０    無端ベルト
２０ｓ  型枠面
３０    支持手段
３２    押付機構
４０    移動手段
４１ａ  基台
４２ａ  支柱
４３ａ  昇降機構
４４ａ  昇降架台
５０    回転モータ
６０    側型枠部材
７０    スクレーパ
【図１】
0005418465.tif 000003
【図２】
0005418465.tif 000004
【図３】
0005418465.tif 000005
【図４】
0005418465.tif 000006
【図５】
0005418465.tif 000007
【図６】
0005418465.tif 000008
【図７】
0005418465.tif 000009
【図８】
0005418465.tif 000010
【図９】
0005418465.tif 000011